(57)【要約】【課題】少ない結合部品で作業性よく施工できるとともに、目地を目立たなくして意匠性よく結合することのできる建材用パネルの結合構造を提供する。【解決手段】パネルを結合する構造であって、該パネルＰ１の一端部をコ字形に裏面側に折り曲げて表面化粧板と略平行に垂設した垂下片１と、隣り合うパネルＰ２の一端部を裏面側に折り曲げて形成した係合片２と、この係合片２に外嵌する屈曲部３１を有する結合金具３とからなり、上記垂下片１に結合金具３を固定するとともに、上記屈曲部３１に上記係合片２が弾接して隣り合うパネルＰ１とパネルＰ２とを結合する建材用パネルの結合構造。【選択図】図２
2006169920.tif 000002
【特許請求の範囲】
【請求項１】
パネルを結合する構造であって、該パネルの一端部をコ字形に裏面側に折り曲げて表面化粧板と略平行に垂設した垂下片と、隣り合うパネルの一端部を裏面側に折り曲げて形成した係合片と、この係合片に外嵌する屈曲部を有する結合金具とからなり、上記垂下片に結合金具を固定するとともに、上記屈曲部に上記係合片が弾接して隣り合うパネルとパネルとを結合する建材用パネルの結合構造。
【請求項２】
上記係合片が平面視山形構造を有するとともに、上記屈曲部に内嵌する請求項１に記載の建材用パネルの結合構造。
【請求項３】
上記垂下片にネジ孔を設けるとともに、このネジ孔に結合金具をネジ留めして固定する請求項１に記載の建材用パネルの結合構造。
【請求項４】
上記隣り合うパネルの隙間に弾性を有する硬質樹脂からなる平目地を嵌装する請求項１に記載の建材用パネルの結合構造。
【発明の詳細な説明】
【技術分野】
【０００１】
本発明は、パネルの結合構造に関する。さらに詳しくは、壁パネル、天井パネル等建材用パネルを結合する構造に関する。
【背景技術】
【０００２】
従来、壁パネル、天井パネル等建材用パネルの結合構造に関しては種々の技術が知られており、例えば、下記特許文献をあげることができる。
【特許文献１】特開２００４−１１６０３０号公報（第１−４頁、第１図、第２図）
【発明の開示】
【発明が解決しようとする課題】
【０００３】
上記特許文献以外にも種々の技術が公知であり、例えば、本願図４に示す壁パネルの結合構造が開示されている。すなわち、本願図４に示す平面図において、裏面に断熱材６２を貼着された壁パネル６の端部は略直角に折り曲げられて結合片６１を形成し、隣り合う結合片６１どうしは壁スタッド７で受けられるとともに、平目地受け８で挟み込むように固定用タッピングビスＢで固定される。このようにして結合された結合片６１と結合片６１との間には平目地９が嵌入され化粧仕上げされる。
【０００４】
しかしながら、上記したように壁パネル等、建材用パネルの結合に要する部品点数が多いため施工に手間がかかるという問題があり、また、構造的に平目地が大きくなり、意匠性に劣るという問題がある。本発明はこのような問題を解決して、少ない結合部品で作業性よく施工できるとともに、目地を目立たなくして意匠性よく結合することのできる建材用パネルの結合構造を提供することをその課題とする。
【課題を解決するための手段】
【０００５】
上記課題を解決するために、本発明においては、つぎのような技術的手段を講じている。すなわち、本発明によれば、パネルを結合する構造であって、該パネルの一端部をコ字形に裏面側に折り曲げて表面化粧板と略平行に垂設した垂下片と、隣り合うパネルの一端部を裏面側に折り曲げて形成した係合片と、この係合片に外嵌する屈曲部を有する結合金具とからなり、上記垂下片に結合金具を固定するとともに、上記屈曲部に上記係合片が弾接して隣り合うパネルとパネルとを結合する建材用パネルの結合構造が提供される。
【０００６】
このとき、一端部をコ字形に裏面側に折り曲げて垂下片とし、他端部を係合片としたパネルを建て込み、このパネルの垂下片に固定した固定金具に他のパネルの係合片を内嵌し、上記結合金具によってパネルとパネルとを隣り合わせて結合することが好ましい。上記建材用パネルとしては、壁パネル、天井パネル等、通常、建築に用いられる化粧パネルがあげられる。
【０００７】
上記係合片が平面視山形構造を有するとともに、上記屈曲部に内嵌されることが好ましい。上記垂下片に結合金具を結合する方法については、とくに限定されないが、上記垂下片に適当な間隔でネジ孔を設けるとともに、このネジ孔に結合金具をネジ固定する方法が好ましく用いられる。ネジとしてはタッピングビスが好ましく用いられる。
【０００８】
また、上記隣り合うパネルの隙間に弾性を有する硬質樹脂からなる平目地を嵌装することが好ましい。例えば、硬質塩化ビニル樹脂、ポリプロピレン、ＡＢＳ樹脂、ポリカーボネート樹脂等、弾性反発力を有する硬質樹脂で上記平目地を形成し、目地挿入部に弾性反発力を付与することが好ましい。
【発明の効果】
【０００９】
請求項１に記載の発明は上記のとおりであり、パネルの一端部に垂設された垂下片と、隣り合うパネルの一端部を裏面側に折り曲げて形成された係合片と、結合金具とからなり、上記垂下片に固定された結合金具の屈曲部に上記係合片が弾接して隣り合うパネルとパネルとが結合されるため、予め結合金具を固定したパネルを建て込んでおき、結合金具の屈曲部へ他のパネルの係合片を弾接することにより、簡単にワンタッチでパネルどうしを結合することができる。
【００１０】
上記係合片が平面視山形構造を有するとともに、上記屈曲部に内嵌するため、山形構造の頂部に相当する部分が上記屈曲部に係合し、係合片が結合金具の屈曲部によってしっかりと弾性係止される。また、上記垂下片にネジ孔を設けるとともに、このネジ孔に結合金具をネジ留めするため、パネルの裏面からしっかりとネジ固定することができる。
【００１１】
さらに、隣り合うパネルとパネルとの隙間に弾性を有する硬質樹脂からなる平目地を嵌装することにより、平面視山形構造の係合片を結合金具の屈曲部にしっかりと弾性係止させることができるとともに、意匠性よく目地を仕舞うことができる。
【発明を実施するための最良の形態】
【００１２】
以下、本発明の実施形態について図面を参照して、詳細に説明する。図１は、本発明にかかる建材用パネルの結合構造を浴室の壁に施工した例を示す分解斜視図であり、図２は図１の要部を示す拡大平面図である。図１、図２において、断熱材１２を貼着したパネルＰ１の端部はコ字形に裏面側に折り曲げられ、表面化粧板と略平行に垂下片１が垂設されている。一方、隣り合うパネルＰ２の端部は裏面側に平面視山形に折り曲げて係合片２とされ、両者を結合する結合金具３は、く字形に屈曲した屈曲部３１を有している。なお、図２において、符号５は、パネルＰ１とパネルＰ２との隙間に嵌装される平目地を示し、弾性を有する硬質樹脂から形成されている。
【００１３】
図１からよくわかるように、垂下片１にはネジ孔１１が適当な間隔で設けられるとともに、結合金具３にもネジ孔３２が設けられ、上記垂下片１と結合金具３とはタッピングビス４でしっかりとネジ留めされる。図３は上記した結合構造を用いてパネルＰ１とパネルＰ２とを結合した状態を示す平面図である。すなわち、パネルＰ１の垂下片１に予め結合金具３をタッピングビス４でネジ固定し、このパネルＰ１を図示しないパネル枠に建て込んだ後、上記結合金具３のく字形の屈曲部３１に、隣り合うパネルＰ２の端部に形成した平面視山形の係合片２を内嵌する。このようにして、係合片２を屈曲部３１にワンタッチで内嵌し、弾接させて、パネルＰ１とパネルＰ２とを結合し、その隙間に図２に示した平目地５を嵌装する。
【００１４】
上記したように、平目地５は弾性を有する硬質樹脂からなり、その挿入部は弾性反発力を有しているため、結合金具３の屈曲部３１に内嵌した上記山形の係合片２は、上記した平目地５の弾性反発力が働いて屈曲部３１にしっかりと弾性係止される。このように、嵌装された平目地５は、上記山形の係合片２を結合金具３にしっかりと結合させるとともに、パネルの結合面を意匠性よくカバーすることができる。
【００１５】
以上述べたように、本発明の建材用パネルの結合構造を用いることにより、少ない部品点数で作業性よくパネルどうしを結合させることができるとともに、パネルの隙間も細くなり、平目地５によって意匠性よくカバーすることができる。上記実施形態は浴室壁パネルに本発明の建材用パネルの結合構造を適用した例を示したが、天井パネルにも適用可能であり、さらに浴室以外の種々の場所にも適用可能である。
【図面の簡単な説明】
【００１６】
【図１】本発明にかかる建材用パネルの結合構造を示す分解斜視図である。
【図２】図１の要部を示す拡大平面図である。
【図３】上記結合構造を用いてパネルとパネルとを結合した状態を示す平面図である。
【図４】公知の建材用パネルの結合構造を示す平面図である。
【符号の説明】
【００１７】
Ｐ１        本発明にかかるパネル
Ｐ２        上記パネルに隣り合うパネル
１          垂下片
１１        ネジ孔
１２        断熱材
２          係合片
３          固定金具
３１        屈曲部
３２        ネジ孔
４          タッピングビス
５          平目地
６          公知の壁パネル
６１        結合片
６２        断熱材
７          壁スタッド
８          平目地受け
９          平目地
Ｂ          固定用タッピングビス
【図１】
2006169920.tif 000003
【図２】
2006169920.tif 000004
【図３】
2006169920.tif 000005
【図４】
2006169920.tif 000006